(57)【要約】【課題】タモの柄の改良。柄本体を構成する各節が完全に分解されるタモの柄の提供。【解決手段】タモの柄３０は、複数の節を備える。第１番節１３の先端部１８に溝部３１が形成されている。溝部３１は、第１番節１３の軸方向にそって形成されている。第１番節１３にはキャップ部材１１が取り付けられる。キャップ部材１１は、ゴムにより構成される。キャップ部材１１の内周面には突片３２が形成されている。キャップ部材１１がスライドすることにより、突片３２と溝部３１とが嵌め合わされる。【選択図】　図３
2004129532.tif 000002
【特許請求の範囲】
【請求項１】
複数の節が振出式に組み立てられ、第１番節の先端部内側にタモ網が螺合され得る雌ねじ部が形成された柄本体と、
筒状に形成され、第１番節の先端部を被うように当該先端部に嵌脱可能に設けられたゴム製のキャップ部材と、
キャップ部材が第１番節の軸方向まわりに回転することを規制する回転規制機構とを備えているタモの柄。
【請求項２】
上記回転規制機構は、
上記第１番節の先端部の外周面に形成された雄ねじ部と、
上記キャップ部材の内周面に形成された雌ねじ部とを有する請求項１記載のタモの柄。
【請求項３】
上記回転規制機構は、
上記第１番節の先端部の外周面に、当該第１番節の周方向に交差する方向に沿って設けられた溝と、
上記キャップ部材の内周面に形成され、上記溝と係合する係合片とを有する請求項１記載のタモの柄。
【請求項４】
上記溝は、凹条により構成され、
上記係合片は、凸条により構成されている請求項３記載のタモの柄。
【請求項５】
上記凹条は、上記雌ねじ部のねじ方向に沿って螺旋状に形成されている請求項４記載のタモの柄。
【発明の詳細な説明】
【０００１】
【発明の属する技術の分野】
この発明は、魚をすくうためのタモ網が装着される柄部材、すなわち、タモの柄の構造に関するものである。
【０００２】
【従来の技術】
図５は、従来の一般的な陸揚用すくい上げ具１の分解斜視図である。この陸揚用すくい上げ具１は、例えば磯釣り等において、掛かった魚を取り込むために使用され、タモ網２とタモの柄３とを有する。釣人は、タモの柄３を把持して操作することによって、タモ網２で魚をすくう（例えば、非特許文献１参照）。
タモ網２は、タモの柄３の先端に取り付けられるが、通常は、同図が示すように、タモ網２の雄ねじ部４がタモの柄３の先端部にねじ込まれることによって、タモ網２がタモの柄３に固定される。
【０００３】
タモの柄３は、筒状に形成された複数の部材（「節」と称される。）を備えており、いわゆる振出式に構成されている。このタモの柄３では、第１番節３ａ〜第４番節３ｄを備えており、第１番節３ａが第２番節３ｂの内部に、第２番節３ｂが第３番節３ｃの内部に、第３番節３ｃが第４番節３ｄの内部に、それぞれ引出自在に配置されている。陸揚用すくい上げ具１が使用されるときは、各節３ａ〜３ｃが隣り合う節３ｂ〜３ｄから引き出され、タモの柄３が伸長状態にされる。また、陸揚用すくい上げ具１が使用されないときは、各節３ａ〜３ｃが隣り合う節３ｂ〜３ｄの内部に収納され、タモの柄３が縮短状態にされる。
釣人は、タモの柄３を携帯する際には、タモの柄３を縮短状態にする。タモの柄３が携帯されるときには、各節３ａ〜３ｃは、隣り合う節３ｂ〜３ｄから不用意に伸長されるべきではない。そのため、従来のタモの柄３では、第１番節３ａの先端部にキャップ部材７が設けられている。
【０００４】
図６は、タモの柄３の要部拡大断面図であり、第１番節３ａの先端部の構造が図示されている。
キャップ部材７は、一般にゴムにより構成されている。キャップ部材７は、円筒状に形成されており、小径部７ａと大径部７ｂとを有している。
タモの柄３が縮短状態とされたときは、キャップ部材７の小径部７ａが第４番節３ｄの内側に圧入され、大径部７ｂが第４番節３ｄの先端面に当節する。これにより、タモの柄３に蓋が設けられた状態となり、タモの柄３は、縮短状態に保持される。
【０００５】
ところで、第１番節３ａの先端部の内側には一般に金属製のスリーブ５が嵌め込まれており、このスリーブ５の内周面に雌ねじ部６が形成されている。タモ網２の雄ねじ部４（図５参照）は、この雌ねじ部６にねじ込まれるようになっている。上記雄ねじ部４が雌ねじ部６にねじ込まれると、タモ網２は、上記キャップ部材７に当節し、押圧される。これにより、キャップ部材７が弾性変形し、その弾性力によって上記雄ねじ部４と雌ねじ部６との螺合が確実に維持される。つまり、キャップ部材７は、タモ網２の緩み止めをも行っている。
このように、キャップ部材７がタモ網２の緩み止めをも行う部材であるから、キャップ部材７は、第１番節３ａの先端部に接着剤等により固定されている。また、タモ網２の緩み止めが確実に行われるために、キャップ部材７は、その先端部がタモの柄３の先端よりもわずかに距離ｓだけ軸方向外側に突出するように形成されている場合もある。
【０００６】
【非特許文献１】
株式会社シマノ　２００２　Ｆｉｓｈｉｎｇ　Ｔａｃｋｌｅ　Ｃａｔａｌｏｇｕｅ（第６１〜６２頁）
【０００７】
【発明が解決しようとする課題】
キャップ部材７がタモの柄３に固着されることにより、次のような問題があった。
タモの柄３は、前述のように振出式に構成されているから、陸揚用すくい上げ具１の使用中に、各節間にゴミや水が侵入する場合がある。その場合には、タモの柄３は、分解されて清掃等のメンテナンスが行われるべきである。一般に、タモの柄３は、第４番節３ｄの後端部に栓部材が着脱自在に設けられており、これが取り外されることによって、各節３ａ〜３ｃが第４番節３ｄから引き抜かれるようになっている。
ところが、キャップ部材７が第１番節３ａに固着されているから、第１番節３ａは、第４番節節３ｄ内を通過することができない。そのため、タモの柄３は、完全に分解されることはなく、十分なメンテナンスが不可能であるという問題があった。
【０００８】
そこで、本発明の目的は、各節を完全に分解することができ、内部の掃除等を簡単に行うことができるタモの柄を提供することである。
【０００９】
【課題を解決するための手段】
（１）　上記問題は、上記キャップ部材７が接着剤により固着されていることに原因があることは明らかである。しかし、キャップ部材７がタモの柄３に固着されず、第１番節３ａに対して着脱自在に設けられた場合には、タモ網２がタモの柄３に取り付けられたときに、キャップ部材７がタモ網２と共に第１番節３ａの回りに回転してしまい、タモ網２の緩み止めが実現されなくなる。
上記目的を達成するために本願発明者は、タモの柄に対して着脱可能でありながら、上記緩止効果が奏されるようにキャップ部材の構造を工夫することが重要であると考えた。
【００１０】
（２）　そこで、本願に係るタモの柄は、複数の節が振出式に組み立てられ、第１番節の先端部内側にタモ網が螺合され得る雌ねじ部が形成された柄本体と、筒状に形成され、第１番節の先端部に被せられたゴム製のキャップ部材と、キャップ部材が第１番節の軸方向まわりに回転することを規制する回転規制機構とを備えていることを特徴とするものである。
【００１１】
この構成では、キャップ部材は、第１番節の先端部に設けられ、これにより、第１番節の先端部が被われる。第１番節の先端部に形成された雌ねじ部には、タモ網が螺合される。タモ網が雌ねじ部にねじ込まれる際には、キャップ部材は、タモ網と共に第１番節の軸方向まわりに回転しようとする傾向にある。しかし、回転規制機構が備えられているから、キャップ部材は、第１番節に対してその軸方向まわりに回転することはない。したがって、キャップ部材の回転が規制された状態で、タモ網が第１番節にねじ込まれる。
キャップ部材は、第１番節の先端部を被うものであり、且つゴムにより構成されているから、タモ網が第１番節にねじ込まれた場合には、タモ網がキャップ部材に押圧され、キャップ部材は弾性変形する。この弾性変形による弾性力によって、タモ網は、第１番節に対して緩むことなく、確実に固定される。
一方、キャップ部材は第１番節に固着されたものではないから、タモ網が第１番節から取り外された場合に、キャップ部材も第１番節から引き抜かれるようにして取り外される。
【００１２】
（３）　上記回転規制機構は、上記第１番節の先端部の外周面に形成された雄ねじ部と、上記キャップ部材の内周面に形成された雌ねじ部とを有して構成される。この構成では、キャップ部材に形成された雌ねじ部と第１番節に形成された雄ねじ部とが螺合され、キャップ部材が当該ねじの方向に回転されることにより、第１番節の先端部に取り付けられる。また、キャップ部材が上記ねじの方向と逆方向に回転されることにより、キャップ部材は、第１番節から取り外される。
【００１３】
（４）　上記回転規制機構は、上記第１番節の先端部の外周面に、当該第１番節の周方向に交差する方向に沿って設けられた溝と、上記キャップ部材の内周面に形成され、上記溝と係合する係合片とを有して構成されていてもよい。
この構成では、キャップ部材に形成された係合片と第１番節に設けられた溝とが係合される。キャップ部材が操作され、係合片が溝に沿って所定方向にスライドされることにより、キャップ部材は、第１番節の先端部を被うように配置される。
このとき、上記溝が第１番節の周方向に交差する方向に沿って設けられているから、タモ網が第１番節にねじ込まれた場合であっても、キャップ部材がタモ網と共に回転することはない。
また、タモ網が取り外された状態で、キャップ部材が上記所定方向と逆方向にスライドされることによって、キャップ部材は、第１番節から取り外される。
【００１４】
上記溝は凹条により構成され、上記係合片は凸条により構成されていてもよい。
かかる構成では、上記溝及び係合片が簡単に構成されるので、回転規制機構の構造が簡単になる。
また、上記凹条は、上記雌ねじ部のねじ方向に沿って螺旋状に形成されていてもよい。
かかる構成では、キャップ部材は、当該ねじ方向に回転しながら第１番節の先端部に取り付けられる。しかも、上記凹条が螺旋状に形成されているから、タモ網が第１番節にねじ込まれた場合には、キャップ部材がタモ網と共に回転されるが、このようにキャップ部材が回転されることにより、キャップ部材は第１番節に対していわゆる増し締めがなされる。したがって、キャップ部材が第１番節に強固に取り付けられる。
【００１５】
【発明の実施の形態】
以下、適宜図面が参照されつつ、好ましい実施形態に基づいて本発明が詳細に説明される。
【００１６】
＜第１の実施形態＞
図１は、本発明の第１の実施形態に係るタモの柄１０の分解斜視図である。
このタモの柄１０は、魚釣りに使用される陸揚用すくい上げ具の柄部を構成するものであり、タモの柄１０の先端には、所定のタモ網が装着されるようになっている。
本実施形態の特徴とするところは、タモの柄１０がゴム製のキャップ部材１１を備えており、このキャップ部材１１は、タモの柄１０の先端部に着脱自在に螺合されている点である。
以下、タモの柄１０の構成について詳述される。
【００１７】
タモの柄１０は、柄本体１２と、上記キャップ部材１１とを備えている。
柄本体１２は、４本の筒状部材１３〜１６から構成されている。各筒状部材１３〜１６は、それぞれ「節」と称され、柄本体１２の先端側から順に第１番節１３、第２番節１４、第３番節１５及び第４番節１６と称される。各節１３〜１６は、既知の要領で構成される。例えば、カーボンプリプレグが所定形状に裁断され、これが筒状に巻回されることによって、円筒状の各節１３〜１６が形成される。
【００１８】
柄本体１２は、いわゆる振出式に構成されている。すなわち、第１番節１３は第２番節１４の内部に引き出し自在に収容されている。第１番節１３はテーパ状に形成されており、先端部の外径よりも後端部の外径の方が大きくなるように形成されている。また、第１番節１３の後端径は、第２番節１４の先端径よりも大きく設定されている。したがって、第１番節１３が第２番節１４から引き出されたときは、第１番節１３の後端部分が第２番節１４の先端部分とかみ合って両者が固定されるようになっている。なお、第２番節１４と第３番節１５との関係及び第３番節１５と第４番節１６との関係も同様である。
【００１９】
第１番節１３の先端部１８は、その外周面に雄ねじ部１９が形成されている。この雄ねじ部１９は、第１番節の軸方向に所定長さだけ形成されている。
また、図示されていないが、上記先端部１８の内側には、円筒状のスリーブが嵌め込まれており、このスリーブの内面に雌ねじが形成されている。このスリーブに形成された雌ねじは、上記タモ網に形成された雄ねじが螺合するようになっており、これにより、タモ網はタモの柄１０の先端に固定されるようになっている。
【００２０】
なお、第２番節１４ないし第４番節１６の先端部には、当該部分の剛性を向上させ、隣り合う節のかみ合いを確実なものとするために、リングＲ１〜Ｒ３が装着されている。
さらに、第４番節１６の後端部には、栓部材１７が装着されている。栓部材１７は、第４番節１６に螺合されている。栓部材１７は第４番節１６に対して着脱自在となっており、後に詳述されるが、栓部材１７が取り外されることにより、第４番節１６の後端部から各節１３〜１５が引き抜かれるようになっている。
【００２１】
キャップ部材１１は、本実施形態では、例えば、アクリロニトリル−ブタジエンゴム（ＮＢＲ）等により構成されている。ただし、キャップ部材１１の材質はこれに限定されるものではなく、その他耐候性、耐塩性に優れるゴムが採用される。
キャップ部材１１は、同図が示すように、円筒状に形成されている。キャップ部材１１の内周面には、雌ねじ部２０が形成されている。したがって、キャップ部材１１は、この雌ねじ部２０と上記第１番節１３に形成された雄ねじ部１９とが螺合された状態で、ねじ形成方向（ねじ方向）に回転されることにより、第１番節１３の先端部１８にねじ込まれ、固定されるようになっている。キャップ部材１１が上記ねじ方向と逆方向に回転されると、キャップ部材１１は、第１番節１３から取り外される。
【００２２】
本実施形態では、キャップ部材１１は、小径部２１と大径部２２とを備えており、これらは一体的に形成されている。小径部２１は、その先端部の外径が第４番節１６の先端部内径よりも小さく設定されている。小径部２１の外径は、先端部から大径部２２に向かって漸次緩やかに拡径されている。したがって、タモの柄１０が収納状態とされたとき、つまり、第１番節１３〜第３番節１５が第４番節１６の内部に収容されたときは、キャップ部材１１の小径部２１が第４番節１６の先端部に押し込まれ、キャップ部材１１の大径部２２が第４番節１６の先端面に当節する。
これにより、タモの柄１０が収納状態とされたときに、キャップ部材１１によってタモの柄１０に蓋が設けられた状態となる。その結果、釣人がタモの柄１０を形態するときに、タモの柄１０が不用意に伸長してしまうことはないという利点がある。
なお、キャップ部材１１は、このような段付き形状に形成される必要はなく、一様な筒状部材に形成されていてもよいことは勿論である。
【００２３】
本実施形態に係るタモの柄１０には、次のようにしてタモ網が着脱される。
図２は、タモの柄１０の第１番節１３の先端部１８の拡大断面図であり、タモ網２３がタモの柄１０に装着された状態が示されている。
まず、キャップ部材１１は、常時第１番節１３の先端部１８に取り付けられている。キャップ部材１１は、前述のように、雌ねじ部２０と第１番節１３に形成された雄ねじ部１９とが螺合された状態で第１番節１３にねじ込まれることにより取り付けられる。
ここで、キャップ部材１１の大径部２２の軸方向寸法は、キャップ部材１１が第１番節１３に取り付けられた状態で、大径部２２の先端面が第１番節１３の先端面よりも距離ｓだけ突出するように設定されるのが好ましい。
【００２４】
この状態で、釣人は、タモ網１３を第１番節１３の内側に配置された上記スリーブ２４にねじ込む。
このスリーブ２４には、前述の雌ねじ部２５が形成されている。一方、タモ網２３は、タモ枠２６を備えており、タモ枠２６は、固定基部２７を有している。この固定基部２７は固定ピン２８を備え、この固定ピン２８に雄ねじ部２９が形成されている。釣人は、この固定ピン２８を上記スリーブ２４にねじ込むことにより、雄ねじ部２９と上記雌ねじ部２５とが螺合し、タモ網２３が第１番節１３に固定される。
【００２５】
固定ピン２８がスリーブ２４にねじ込まれていくと、固定基部２７がキャップ部材１１の大径部２２に当接し、当該大径部２２は、第１番節１３の軸方向（図中右側）へ押圧される。キャップ部材１１は、第１番節１３に螺合しているから、第１番節１３の軸方向に沿う外力が作用した場合であっても、当該方向にスライドすることはない。
また、上記雌ねじ部２０が上記雄ねじ部１９に完全に螺合されており、雌ねじ部２０がゴムで構成されているから、固定ピン２８がスリーブ２４にねじ込まれた場合であっても、キャップ部材１１は、固定ピン２８と共に回転することはない。つまり、これら雄ねじ部１９及び雌ねじ部２０（回転規制機構）は、キャップ部材１１の回転規制をも行う。
したがって、上記大径部２２は弾性変形し、その弾性力が固定基部２７に対して図中左側へ作用する。これにより、固定ピン２８とスリーブ２４との螺合が緩むことがなく、その結果、タモ網２３は、第１番節１３に確実に固定される。
【００２６】
また、上記固定ピン２８が逆回転されることにより、タモ網２３は、上記スリーブ２４から簡単に取り外される。この状態で、第１番節１３〜第３番節１５が第４番節１６の内部に収容されることにより、タモの柄１０は収納状態となり、釣人は、タモの柄１０を容易に携帯することができる。
ところで、タモの柄１０が使用されるときには、各節１３〜１６が振出式に組み立てられていることから、各節間にゴミや水等が侵入する場合がある。そのような場合には、各節１３〜１６が分解され、清掃等のメンテナンスが行われる。
【００２７】
各節１３〜１６は、次のようにして分解される。
まず、釣人は、キャップ部材１１を回転させる。このとき、キャップ部材１１は、前述のように、上記ねじ方向と逆方向に回転される。これにより、キャップ部材１１は、第１番節１３から取り外される。したがって、第１番節１３は、第２番節１４を挿通することができるようになる。さらに、釣人は、第１４節１６に設けられた栓部材１７を回転させ、これを取り外す。
この状態で、釣人は、第４番節１６から第１番節１３〜第３番節１５を引き抜くことができ、各節１３〜１６は、完全に分解される。その結果、釣人は、各節１３〜１６の洗浄等のメンテナンスを容易に行うことができる。
【００２８】
＜第２の実施形態＞
次に、本発明の第２の実施形態について説明される。
図３は、本発明の第２の実施形態に係るタモの柄３０の要部拡大斜視図であり、第１番節１３の先端部１８が詳細に示されている。
本実施形態に係るタモの柄３０が上記第１の実施形態に係るタモの柄１０と異なるところは、上記タモの柄１０では、キャップ部材１１の回転規制が当該キャップ部材１１に設けられた雌ねじ部２９及び第１番節１３に設けられた雄ねじ部１９により構成されていたのに対し、本実施形態に係るタモの柄３０では、第１番節１３に設けられた溝部３１（溝）及びキャップ部材１１に設けられた突片３２（係合片）により構成されている点である。なお、その他の構成については、上記第１の実施形態に係るタモの柄１０と同様である。
【００２９】
溝部３１は、第１番節１３の先端部１８の外周面に形成されており、第１番節１３の軸方向に延びている。同図では、溝部３１は２カ所のみ図示されているが、実際には、第１番節１３の周方向に沿って均等に４カ所設けられている。
突片３２は、キャップ部材１１の内周面に設けられており、キャップ部材１１の径方向内側へ突出している。突片３２は、キャップ部材１１の軸方向に延びている。突片３２は、４カ所に設けられており、キャップ部材１１の内周面の周方向に沿って均等に設けられている。突片３２の断面形状は、上記溝部３１の内壁面形状に対応している。したがって、各突片３２は、それぞれ上記各溝部３１にぴったりと嵌め込まれるようになっている。
なお、上記溝部３１は、第１番節１３の４カ所に設けられる場合に限定されるものではなく、溝部３１及びこれに対応する突片３２の数は、特に限定されるものではない。
【００３０】
釣人は、上記各突片３２を上記各溝部３１に嵌め込み、キャップ部材１１を第１番節１３の軸方向へスライドさせることにより、キャップ部材１１は第１番節１３の先端部１８に簡単に取り付けられる。そして、この状態で釣人は、前述と同様の要領でタモ網２３（図２参照）を着脱することができる。
タモ網２３が取り付けられる際には、前述のように、固定ピン２８がスリーブ２４にねじ込まれ、そのため、キャップ部材１１は、固定ピン２８と共に回転する傾向にある。しかし、上記溝部３１が第１番節１３の軸方向に沿って形成され、これに上記突片３２が嵌め込まれているから、キャップ部材１１は、固定ピン２８と共に回転することはない。つまり、この溝部３１及び突片３２によって、キャップ部材１１の回転規制が行われる。
【００３１】
したがって、固定ピン２８がねじ込まれると、上記大径部２２が弾性変形し、その弾性力が固定基部２７に作用する。これにより、固定ピン２８とスリーブ２４との螺合が緩むことがなく、その結果、タモ網２３は、第１番節１３に確実に固定される。
また、タモ網２３が取り外された場合は、釣人がキャップ部材１１を第１番節１３から引き抜くことにより、キャップ部材１１が簡単に第１番節１３から取り外される。その結果、各節１３〜１６の清掃等のメンテナンスが容易に行われる。
【００３２】
特に、本実施形態では、図３が示すように、上記突片３２が凸条により構成され、上記溝部３１が凹条により構成されているから、キャップ部材１１の回転規制を行うための構造がきわめて簡単である。これにより、タモの柄３０の製造コストが大幅に上昇することはないという利点がある。
なお、本実施形態では、上記溝部３１は、第１番節１３の軸方向に沿って形成されているが、これに限定されるものではなく、第１番節１３の周方向に交差する方向であればよい。
【００３３】
また、図４は、本実施形態の変形例に係るタモの柄４０の要部拡大斜視図であり、第１番節１３の先端部１８が詳細に示されている。
本変形例に係るタモの柄４０が上記タモの柄３０と異なるところは、上記タモの柄３０では、上記溝部３１が第１番節１３の軸方向に沿って形成されていたのに対し、タモの柄４０では、溝部３１が第１番節１３に螺旋状に形成されている点である。なお、その他の構成については、上記実施形態に係るタモの柄３０と同様である。
【００３４】
溝部３１は、第１番節１３の先端から後方へ向かう軸方向に対して右回りに形成されている。つまり、溝部３１は、第１番節１３のスリーブ２４に形成された雌ねじ部２５のねじ方向と同方向に螺旋状に形成されている。
したがって、釣人は、上記各突片３２を上記各溝部３１に嵌め込み、キャップ部材１１を右に回しながら（上記雌ねじ部２５のねじ方向に回しながら）第１番節１３の軸方向へスライドさせる。これにより、キャップ部材１１は第１番節１３の先端部１８に簡単に取り付けられる。この状態で釣人は、前述と同様の要領でタモ網２３（図２参照）を着脱することができる。
【００３５】
タモ網２３が取り付けられる際には、固定ピン２８がスリーブ２４にねじ込まれるが、前述のように、上記溝部３１に上記突片３２が嵌め込まれているから、キャップ部材１１は、固定ピン２８と共に回転することはなくい。したがって、固定ピン２８とスリーブ２４との螺合が緩むことがなく、その結果、タモ網２３は、第１番節１３に確実に固定される。
しかも、上記溝部３１が螺旋状に形成されているから、固定ピン２８がスリーブ２４にねじ込まれた場合には、キャップ部材１１がタモ網２３と共に回転される傾向にあるが、キャップ部材１１が回転することにより、キャップ部材１１は第１番節１３に対していわゆる増し締めがなされた状態となる。したがって、キャップ部材１１は、第１番節１３に対して一層強固に取り付けられるという利点がある。
また、タモ網２３が取り外された場合は、釣人は、キャップ部材１１を左方向に回転させながら第１番節１３から引き抜くことにより、キャップ部材１１が簡単に第１番節１３から取り外され、その結果、各節１３〜１６の清掃等のメンテナンスが容易に行われる。
【００３６】
なお、本変形例では、キャップ部材１１の突片３２は、キャップ部材１１の軸方向に沿って延びているが、突片３２は、螺旋状に形成された溝部３１に対応した螺旋状に形成されていてもよい。
【００３７】
【発明の効果】
以上のように本発明によれば、キャップ部材が第１番節の先端部に取り付けられた状態でタモ網が第１番節の先端部にねじ込まれると、キャップ部材がゴムから構成されていることから、タモ網と第１番節との螺合が緩むことなく、タモ網は第１番節に確実に取り付けられる。また、タモ網が取り外された場合には、キャップ部材も第１番節から取り外されるので、柄本体が各節に完全に分解され得る。したがって、タモの柄は、所要時に容易に分解メンテナンスが行われる。
【図面の簡単な説明】
【図１】図１は、本発明の第１の実施形態に係るタモの柄の分解斜視図である。
【図２】図２は、本発明の第１の実施形態に係るタモの柄の第１番節の要部拡大断面図である。
【図３】図３は、本発明の第２の実施形態に係るタモの柄の要部拡大斜視図である。
【図４】図４は、本発明の第２の実施形態の変形例に係るタモの柄の要部拡大斜視図である。
【図５】図５は、従来の一般的な陸揚用すくい上げ具の分解斜視図である。
【図６】図６は、従来の一般的な陸揚用すくい上げ具に適用されるタモの柄の要部拡大断面図である。
【符号の説明】
１０・・・タモの柄
１１・・・キャップ部材
１２・・・柄本体
１３・・・第１番節
１７・・・栓部材
１８・・・第１番節の先端部
１９・・・雄ねじ部
２０・・・雌ねじ部
２３・・・タモ網
２４・・・スリーブ
２５・・・雌ねじ部
２８・・・固定ピン
２９・・・雄ねじ部
３０・・・タモの柄
３１・・・溝部
３２・・・突片
４０・・・タモの柄
【図１】
2004129532.tif 000003
【図２】
2004129532.tif 000004
【図３】
2004129532.tif 000005
【図４】
2004129532.tif 000006
【図５】
2004129532.tif 000007
【図６】
2004129532.tif 000008